(57)【要約】【課題】本発明は、異なる端子の間における多くの電気的な接続を実現する押圧スイッチを提供することを目的とする。【解決手段】本発明の押圧スイッチは、絶縁性本体と、前記絶縁性本体に固着される複数の端子と、可動部材と、押圧部材とを備える。可動部材は、側方接触部と中央接触部とを有する主体部と、前記主体部と連接し、前記絶縁性本体に保持される保持部と、を有する。複数の端子は、第１接触部が設けられる第１端子と、第２接触部が設けられる第２端子と、前記第１端子と前記第２端子との間に配置され、且つ第３接触部が設けられる第３端子とを備える。前記押圧部材が押圧される時、前記側方接触部が前記第１接触部及び第２接触部と接触する。前記押圧部材が更に押圧される時、前記中央接触部が前記第３接触部と接触する。【選択図】図７
2016021381.tif 000002
【特許請求の範囲】
【請求項１】
絶縁性本体と、
前記絶縁性本体に固着される複数の端子と、
側方接触部と中央接触部とを有する主体部と、前記主体部と連接し、且つ前記絶縁性本体に保持される保持部と、を有する可動部材と、
押圧部材と、
を備え、
前記複数の端子が、第１接触部が設けられる第１端子と、第２接触部が設けられる第２端子と、前記第１端子と前記第２端子との間に配置され、且つ第３接触部が設けられる第３端子と、を備え、
前記押圧部材が押圧される時、前記側方接触部が前記第１接触部及び前記第２接触部と接触し、前記第１端子と前記第２端子とは電気的に接続され、
前記押圧部材が更に押圧される時、前記中央接触部が前記第３接触部と接触し、前記第１端子、前記第２端子、及び第３端子は電気的に接続されることを特徴とする押圧スイッチ。
【請求項２】
前記絶縁性本体には、収納スペースが形成され、前記収納スペースには、複数の第１階段部が設けられ、前記保持部が前記第１階段部に保持されることによって、前記可動部材は通常状態において前記第１端子及び前記第２端子から離れて配置されることを特徴とする請求項１に記載の押圧スイッチ。
【請求項３】
前記可動部材の保持部が一対で設けられ、前記一対の保持部が、前記主体部の互いに反対側から延在するビーム状に形成され、各保持部と主体部との間には、スロットが形成されることを特徴とする請求項２に記載の押圧スイッチ。
【請求項４】
前記第１階段部が水平部及び傾斜部を備え、前記保持部の末端が前記水平部に当接し、前記押圧部材が更に押圧される時、前記保持部の前記末端と連接する部分が前記傾斜部に当接することを特徴とする請求項３に記載の押圧スイッチ。
【請求項５】
前記第１端子と前記第２端子とは、前記第３端子に対して対称的に配置され、前記第１接触部と前記第２接触部とは、前記第３接触部の両側に配置され、前記第１接触部、前記第２接触部、及び前記第３接触部が上向きに突出していることを特徴とする請求項２に記載の押圧スイッチ。
【請求項６】
前記第１端子と前記第２端子とはそれぞれ、第１半田接続部と第２半田接続部とを有し、前記第３端子が前記第３接触部に対して対称的に配置される一対の第３半田接続部を有し、前記第１半田接続部、前記第２半田接続部、及び前記一対の第３半田接続部がそれぞれ、前記収納スペースの四つの角部に配置されることを特徴とする請求項５に記載の押圧スイッチ。
【請求項７】
前記収納スペースには、前記第１接触部の両側及び第２接触部の両側に複数の第２階段部が設けられ、前記押圧スイッチは、前記可動部材の上に配置され、且つ前記第２階段部に保持されるタッチシートを有することを特徴とする請求項２に記載の押圧スイッチ。
【発明の詳細な説明】
【技術分野】
【０００１】
本発明は、押圧スイッチに関し、特に、二種類の電気的な接続を実現する押圧スイッチに関するものである。
【背景技術】
【０００２】
従来技術の押圧スイッチは、絶縁性本体と、前記絶縁性本体に固着される第１端子及び第２端子と、前記第１端子と接続するドーム状の可動部材と、前記絶縁性本体の上方に取り付けられるハウジングと、可動部材の上に配置される操作体と、を備えている。前記可動部材が操作体に押圧される時、前記第１端子は第２端子と電気的に接続する。
【先行技術文献】
【特許文献】
【０００３】
【特許文献１】特開２０００−３２２９７４号明細書
【発明の概要】
【発明が解決しようとする課題】
【０００４】
従来技術の押圧スイッチにおいて、第１端子は第２端子と電気的に接続するので、一種類の電気的な接続を実現している。しかしながら、異なる要求によって、異なる端子の間における多くの電気的な接続を実現していない。
【０００５】
そこで本発明は、上述される従来技術の問題に鑑み、二種類の電気的接続を実現する押圧スイッチを提供することを目的とする。
【課題を解決するための手段】
【０００６】
前記目的を達成するために、本発明の押圧スイッチは、絶縁性本体と、前記絶縁性本体に固着される複数の端子と、可動部材と、押圧部材とを備える。可動部材は、側方接触部と中央接触部とを有する主体部と、前記主体部と連接し、且つ前記絶縁性本体に保持される保持部と、を有する。複数の端子は、第１接触部が設けられる第１端子と、第２接触部が設けられる第２端子と、前記第１端子と前記第２端子の間に配置され、且つ第３接触部が設けられる第３端子と、を備える。前記押圧部材が押圧される時、前記側方接触部が前記第１接触部及び第２接触部と接触する。前記押圧部材が更に押圧される時、前記中央接触部が前記第３接触部と接触する。
【発明の効果】
【０００７】
従来技術と比べると、本発明は以下の長所を有する。前記押圧部材が押圧される時、前記第１端子と前記第２端子とは電気的に接続される。前記押圧部材が更に押圧される時、前記第１端子、前記第２端子、及び前記第３端子は電気的に接続される。それ故に、本発明の押圧部材が二つの操作によって、二種類の電気的な接続を実現することができる。
【図面の簡単な説明】
【０００８】
【図１】本発明の押圧スイッチの組立斜視図である。
【図２】図１に示す押圧スイッチの部分の分解斜視図である。
【図３】図２に示す押圧スイッチの部分の分解斜視図である。
【図４】図１に示す押圧スイッチの分解斜視図である。
【図５】図１に示す押圧されない時の押圧スイッチのＡ−Ａ線に沿って切った断面図である。
【図６】図１に示す押圧された押圧スイッチのＡ−Ａ線に沿って切った断面図。
【図７】図１に示す更に押圧された押圧スイッチのＡ−Ａ線に沿って切った断面図。
【発明を実施するための形態】
【０００９】
図１〜図５を参照すると、本発明の押圧スイッチ１００は、絶縁性本体１０と、前記絶縁性本体１０に固着される複数の端子２０と、可動部材３０と、二つの操作を感じるタッチシート４０と、カバー５０と、押圧部材６０と、を備える。
【００１０】
前記絶縁性本体１０には、収納スペース１１が形成される。前記収納スペース１１には、複数の第１階段部１２と、前記第１階段部１２より高い複数の第２階段部１３と、が設けられる。前記第１階段部１２は、水平部１２０及び傾斜部１２１を備える。
【００１１】
前記複数の端子２０は、第１端子２１と、第２端子２２と、前記第１端子２１と第２端子２２との間に配置される第３端子２３と、を備える。第１端子２１には、第１接触部２１０と第１半田接続部２１１とが設けられる。第２端子２２には、第２接触部２２０と第２半田接続部２２１とが設けられる。第３端子２３には、第３接触部２３０と、第３接触部２３０に対して対称的に配置される一対の第３半田接続部２３１とが設けられる。第１接触部２１０、第２接触部２２０、及び、第３接触部２３０は上向きに突出している。
【００１２】
前記可動部材３０は、側方接触部３１０と中央接触部３１１とを有する主体部３１と、前記主体部３１と連接し、且つ前記絶縁性本体１０に保持される一対の保持部３２と、を有する。前記可動部材３０の一対の保持部３２は、前記主体部３１の互いに反対側から延在するビーム状に形成される。各保持部３２と主体部３１との間には、スロット３３が形成される。前記主体部３１は、一対の弓形の側辺と一対の直線状の側辺とを有する。前記一対の弓形の側辺の間の距離は、最小に２．３ｍｍで形成される。前記一対の保持部３２は、前記主体部３１の直線状の側辺に対して平行になっている。
【００１３】
タッチシート４０は、基部４１と、一対のスロット４２と、一対の弓形辺４３と、一対の直線辺４４と、を有する。前記一対の弓形辺４３の間の距離は、最小に２．７ｍｍで形成される。前記一対の直線辺４４の間の距離は、最小に２．３ｍｍで形成される。
【００１４】
図５に示すように、前記押圧スイッチ１００が組み立てる時、前記複数の端子２０は、前記絶縁性本体１０に固着される。第３端子２３は、前記第１端子２１と第２端子２２との間に配置される。前記第１端子２１と第２端子２２とは、前記第３端子２３に対して対称的に配置される。前記第１接触部２１０と第２接触部２２０とは、前記第３接触部２３０の両側に配置される。前記第１半田接続部２１１、第２半田接続部２２１、及び一対の第３半田接続部２３１はそれぞれ、前記収納スペース１１の四つの角部に配置される。複数の第２階段部１３は、第１接触部２１０及び第２接触部２２０の両側に位置する。前記保持部３２は前記第１階段部１２に保持される。前記保持部３２の末端が前記水平部１２０に当接する。タッチシート４０は、可動部材３０の上に配置される。弓形辺４３は、前記第２階段部１３に保持される。前記押圧部材６０は、前記カバー５０に粘着する。前記カバー５０は、絶縁性本体１０にシールする。前記一対の保持部３２が前記第１階段部１２に保持されることによって、前記可動部材３０は通常状態において前記第１端子２１及び第２端子２２から離れて配置される。
【００１５】
図６を参照すると、前記押圧部材６０が第１押圧力によって押圧される時、前記押圧部材３０の側方接触部３１０が前記第１接触部２１０及び第２接触部２２０と接触する。前記第１端子２１と第２端子２２とは、電気的に接続される。
【００１６】
図７を参照すると、前記押圧部材６０が前記第１押圧力より大きい第２押圧力によって更に押圧される時、前記押圧部材３０の中央接触部３１１は、前記第３接触部２３０と接触する。前記保持部３２の前記末端と連接する部分は、前記傾斜部１２１に当接する。前記第１端子２１、第２端子２２、及び、第３端子は、電気的に接続される。
【００１７】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００１８】
１００  押圧スイッチ
１０  絶縁性本体
１１  収納スペース
１２  第１階段部
１２０  水平部
１２１  傾斜部
１３  第２階段部
２０  端子
２１  第１端子
２１０  第１接触部
２１１  第１半田接続部
２２  第２端子
２２０  第２接触部
２２１  第２半田接続部
２３  第３端子
２３０  第１接触部
２３１  第１半田接続部
３０  可動部材
３１  主体部
３１０  側方接触部
３１１  中央接触部
３２  保持部
３３  スロット
４０  タッチシート
４１  基部
４２  スロット
４３  弓形辺
４４  直線辺
５０  カバー
６０  押圧部材
【図１】
2016021381.tif 000003
【図２】
2016021381.tif 000004
【図３】
2016021381.tif 000005
【図４】
2016021381.tif 000006
【図５】
2016021381.tif 000007
【図６】
2016021381.tif 000008
【図７】
2016021381.tif 000009